(57)【要約】      （修正有）【課題】ＭＰＵにとっての処理の負荷が大きく、ＭＰＵが処理に長い時間を要した。【解決手段】データ処理装置ＤＰ１は処理ユニット１と投射ユニット２と検出ユニット３より構成される。処理ユニット１はＭＰＵ１ａとＦｅＲＡＭ１ｂとＲＡＭ１ｃとを有する。投射ユニット２は、投射部２ａを有し、投射部２ａは色データを投射する。検出ユニット３は、検出部３ａを有し、検出部３ａはスクリーンへの投射の結果として反射される色データを検出する。ＭＰＵ１ａはＦｅＲＡＭ１ｂ内のテーブルＴを参照することによって、最終的な投射補正データを取得する。これにより、ＭＰＵ１ａは、投射補正に関する演算処理を行う必要が無いことから、従来に比して、ＭＰＵ１ａが担うべき処理の負荷を軽減し、また、その処理時間を短縮することが可能となる。【選択図】図１
2008241811.tif 000002
【特許請求の範囲】
【請求項１】
強誘電体メモリと、実行部とを含むデータ処理装置であって、
［Ｉ］前記実行部は、
［１］第１の時刻（ｎ）（ｎ≦ｔ）における第１の色データＲ（ｎ）、Ｇ（ｎ）、Ｂ（ｎ）を構成するための複数の色サブデータＲＳ（ｎ）、ＧＳ（ｎ）、ＢＳ（ｎ）と、［２］当該複数の色サブデータＲＳ（ｎ）、ＧＳ（ｎ）、ＢＳ（ｎ）についての、前記第１の時刻（ｎ）における第１の処理のための複数の補正量ＲＳＣ（ｎ）、ＧＳＣ（ｎ）、ＢＳＣ（ｎ）とから、［３］前記第１の色データＲ（ｎ）、Ｇ（ｎ）、Ｂ（ｎ）に前記第１の処理が施された結果である第２の色データＲＦ（ｎ）、ＧＦ（ｎ）、ＢＦ（ｎ）を算出し、
［ＩＩ］前記強誘電体メモリは、
［１］［１ａ］一の時刻（ｔ）における、第２の色データＲＦ（ｔ）、ＧＦ（ｔ）、ＢＦ（ｔ）と、
［１ｂ］前記一の時刻（ｔ）に先立つ他の時刻（ｔ−１）における、第３の色データＲ（ｔ−１）、Ｇ（ｔ−１）、Ｂ（ｔ−１）に前記第１の処理が施された結果である第４の色データＲＦ（ｔ−１）、ＧＦ（ｔ−１）、ＢＦ（ｔ−１）と、当該第４の色データに第２の処理が施された結果である第５の色データＲＦｒｆ（ｔ−１）、ＧＦｒｆ（ｔ−１）、ＢＦｒｆ（ｔ−１）との間の補正量ＲＦＣ（ｔ−１）、ＧＦＣ（ｔ−１）、ＢＦＣ（ｔ−１）とにより定まる、［１ｃ］前記一の時刻（ｔ）における、前記第２の処理が施される前の第６の色データＲＦｃｒ（ｔ）、ＧＦｃｒ（ｔ）、ＢＦｃｒ（ｔ）と、
［２］前記第６の色データＲＦｃｒ（ｔ）、ＧＦｃｒ（ｔ）、ＢＦｃｒ（ｔ）に前記第２の処理が施された結果である第７の色データＲＦｒｆ（ｔ）、ＧＦｒｆ（ｔ）、ＢＦｒｆ（ｔ）と、
［３］前記第６の色データＲＦｃｒ（ｔ）、ＧＦｃｒ（ｔ）、ＢＦｃｒ（ｔ）と、前記第７の色データＲＦｒｆ（ｔ）、ＧＦｒｆ（ｔ）、ＢＦｒｆ（ｔ）と、前記第２の処理に関する補正量ＲＦＣ（ｔ）、ＧＦＣ（ｔ）、ＢＦＣ（ｔ）との間の複数の対応関係を規定するテーブルと、を記憶しており、
［ＩＩＩ］前記実行部は、
［１］［１ａ］前記算出された、前記第１の時刻（ｎ）における前記第２の色データＲＦ（ｎ）、ＧＦ（ｎ）、ＢＦ（ｎ）と、前記第１の時刻に先立つ第２の時刻（ｎ−１）における補正量ＲＦＣ（ｎ−１）、ＧＦＣ（ｎ−１）、ＢＦＣ（ｎ−１）とにより定める、当該第１の時刻（ｎ）における第６の色データＲＦｃｒ（ｎ）、ＧＦｃｒ（ｎ）、ＢＦｃｒ（ｎ）と、［１ｂ］当該第１の時刻（ｎ）における、当該第６の色データＲＦｃｒ（ｎ）、ＧＦｃｒ（ｎ）、ＢＦｃｒ（ｎ）に前記第２の処理が施された第７の色データＲＦｒｆ（ｎ）、ＧＦｒｆ（ｎ）、ＢＦｒｆ（ｎ）とに基づき、前記テーブルを参照することにより、［１ｃ］前記第２の処理に関する補正量ＲＦＣ（ｎ）、ＧＦＣ（ｎ）、ＢＦＣ（ｎ）を取得し、
［２］前記第６の色データＲＦｃｒ（ｎ）、ＧＦｃｒ（ｎ）、ＢＦｃｒ（ｎ）と、前記第２の処理に関する補正量ＲＦＣ（ｎ）、ＧＦＣ（ｎ）、ＢＦＣ（ｎ）とから、前記第２の処理に関する補正量△Ｒ（ｎ）、△Ｇ（ｎ）、△Ｂ（ｎ）を算出し、
［３］前記第６のデータＲＦｃｒ（ｎ）、ＧＦｃｒ（ｎ）、ＢＦｃｒ（ｎ）から、前記補正量△Ｒ（ｎ）、△Ｇ（ｎ）、△Ｂ（ｎ）を減算することにより、第８の色データＲｅｎ（ｎ）、Ｂｅｎ（ｎ）、Ｇｅｎ（ｎ）を算出することを含むことを特徴とするデータ処理装置。
【発明の詳細な説明】
【技術分野】
【０００１】
本発明は、動画像を構成する複数の画素における色（ＲＧＢ）データの補正のような、データの処理の行うデータ処理装置に関する。
【背景技術】
【０００２】
図４に図示された、処理ユニット１０、投射ユニット２０、及び、検出ユニット３０からなる従来のデータ処理装置ＤＰ１０では、ＭＰＵ１０ａが、図５（Ａ）に図示された時刻ｔ１〜ｔ５での複数の画像ＩＭ１〜ＩＭ５のうち、例えば、時刻ｔ４での画像ＩＭ４中の画素ＰＸ（１、１）、即ち、図５（Ｂ）に図示の構成を有する画素ＰＸ（１、１）における赤データＲ（ｔ４）、緑データＧ（ｔ４）、及び青データＢ（ｔ４）を構成する赤サブデータＲＳ（ｔ４）、緑サブデータＧＳ（ｔ４）、青サブデータＢＳ（ｔ４）を用いて、当該時刻ｔ４で行うべき第１の処理（例えば、フィルタリング）を行うことにより、補正された赤データＲＦ（ｔ４）、緑データＧＦ（ｔ４）、青データＢＦ（ｔ４）（図示せず。）を取得する。
【０００３】
上記した従来のデータ処理装置ＤＰ１０では、また、投射部２０ａが、例えば、時刻ｔ４での画像ＩＭ４中の画素ＰＸ（１、１）における赤データＲ（ｔ４）を、図６に示されるように、スクリーンＳに投射し、即ち、第２の処理を行う。当該処理に引き続き、検出部３０ａが、当該投射の結果として反射される赤データＲｒｆ（ｔ４）を検出する。更に、ＭＰＵ１０ａが、投射した赤データＲ（ｔ４）と反射された赤データＲｒｆ（ｔ４）とを比較することにより、第２の処理である投射に関する補正量を算出し、当該補正量に基づき、当該時刻ｔ４での赤データＲ（ｔ４）、又は、当該時刻ｔ４に引き続く時刻ｔ５での赤データＲ（ｔ５）を補正することにより、スクリーンＳに投射される画像ＩＭ４、ＩＭ５の画質を向上させる。
【発明の開示】
【発明が解決しようとする課題】
【０００４】
しかしながら、上記した従来のデータ処理装置ＤＰ１０では、前記第２の処理での計算を、ＭＰＵ１０ａが実際に行うことから、ＭＰＵ１０ａにとっての処理の負荷が大きく、また、ＭＰＵ１０ａが処理に長い時間を要するという問題があった。
【課題を解決するための手段】
【０００５】
本発明に係るデータ処理装置は、上記した課題を解決すべく、
強誘電体メモリと、実行部とを含むデータ処理装置であって、
［Ｉ］前記実行部は、
［１］第１の時刻（ｎ）（ｎ≦ｔ）における第１の色データＲ（ｎ）、Ｇ（ｎ）、Ｂ（ｎ）を構成するための複数の色サブデータＲＳ（ｎ）、ＧＳ（ｎ）、ＢＳ（ｎ）と、［２］当該複数の色サブデータＲＳ（ｎ）、ＧＳ（ｎ）、ＢＳ（ｎ）についての、前記第１の時刻（ｎ）における第１の処理のための複数の補正量ＲＳＣ（ｎ）、ＧＳＣ（ｎ）、ＢＳＣ（ｎ）とから、［３］前記第１の色データＲ（ｎ）、Ｇ（ｎ）、Ｂ（ｎ）に前記第１の処理が施された結果である第２の色データＲＦ（ｎ）、ＧＦ（ｎ）、ＢＦ（ｎ）を算出し、
［ＩＩ］前記強誘電体メモリは、
［１］［１ａ］一の時刻（ｔ）における、第２の色データＲＦ（ｔ）、ＧＦ（ｔ）、ＢＦ（ｔ）と、
［１ｂ］前記一の時刻（ｔ）に先立つ他の時刻（ｔ−１）における、第３の色データＲ（ｔ−１）、Ｇ（ｔ−１）、Ｂ（ｔ−１）に前記第１の処理が施された結果である第４の色データＲＦ（ｔ−１）、ＧＦ（ｔ−１）、ＢＦ（ｔ−１）と、当該第４の色データに第２の処理が施された結果である第５の色データＲＦｒｆ（ｔ−１）、ＧＦｒｆ（ｔ−１）、ＢＦｒｆ（ｔ−１）との間の補正量ＲＦＣ（ｔ−１）、ＧＦＣ（ｔ−１）、ＢＦＣ（ｔ−１）とにより定まる、［１ｃ］前記一の時刻（ｔ）における、前記第２の処理が施される前の第６の色データＲＦｃｒ（ｔ）、ＧＦｃｒ（ｔ）、ＢＦｃｒ（ｔ）と、
［２］前記第６の色データＲＦｃｒ（ｔ）、ＧＦｃｒ（ｔ）、ＢＦｃｒ（ｔ）に前記第２の処理が施された結果である第７の色データＲＦｒｆ（ｔ）、ＧＦｒｆ（ｔ）、ＢＦｒｆ（ｔ）と、
［３］前記第６の色データＲＦｃｒ（ｔ）、ＧＦｃｒ（ｔ）、ＢＦｃｒ（ｔ）と、前記第７の色データＲＦｒｆ（ｔ）、ＧＦｒｆ（ｔ）、ＢＦｒｆ（ｔ）と、前記第２の処理に関する補正量ＲＦＣ（ｔ）、ＧＦＣ（ｔ）、ＢＦＣ（ｔ）との間の複数の対応関係を規定するテーブルと、を記憶しており、
［ＩＩＩ］前記実行部は、
［１］［１ａ］前記算出された、前記第１の時刻（ｎ）における前記第２の色データＲＦ（ｎ）、ＧＦ（ｎ）、ＢＦ（ｎ）と、前記第１の時刻に先立つ第２の時刻（ｎ−１）における補正量ＲＦＣ（ｎ−１）、ＧＦＣ（ｎ−１）、ＢＦＣ（ｎ−１）とにより定める、当該第１の時刻（ｎ）における第６の色データＲＦｃｒ（ｎ）、ＧＦｃｒ（ｎ）、ＢＦｃｒ（ｎ）と、［１ｂ］当該第１の時刻（ｎ）における、当該第６の色データＲＦｃｒ（ｎ）、ＧＦｃｒ（ｎ）、ＢＦｃｒ（ｎ）に前記第２の処理が施された第７の色データＲＦｒｆ（ｎ）、ＧＦｒｆ（ｎ）、ＢＦｒｆ（ｎ）とに基づき、前記テーブルを参照することにより、［１ｃ］前記第２の処理に関する補正量ＲＦＣ（ｎ）、ＧＦＣ（ｎ）、ＢＦＣ（ｎ）を取得し、
［２］前記第６の色データＲＦｃｒ（ｎ）、ＧＦｃｒ（ｎ）、ＢＦｃｒ（ｎ）と、前記第２の処理に関する補正量ＲＦＣ（ｎ）、ＧＦＣ（ｎ）、ＢＦＣ（ｎ）とから、前記第２の処理に関する補正量△Ｒ（ｎ）、△Ｇ（ｎ）、△Ｂ（ｎ）を算出し、
［３］前記第６のデータＲＦｃｒ（ｎ）、ＧＦｃｒ（ｎ）、ＢＦｃｒ（ｎ）から、前記補正量△Ｒ（ｎ）、△Ｇ（ｎ）、△Ｂ（ｎ）を減算することにより、第８の色データＲｅｎ（ｎ）、Ｂｅｎ（ｎ）、Ｇｅｎ（ｎ）を算出することを含む。
【０００６】
上記した本発明に係るデータ処理装置によれば、前記強誘電体メモリが、前記第２の処理に関する前記テーブルを記憶していることにより、前記実行部は、当該テーブルを参照することによって、前記第２の処理に関する補正量ＲＦＣ（ｎ）、ＧＦＣ（ｎ）、ＢＦＣ（ｎ）を取得することができることから、従来に比して、前記実行部の処理負荷を軽減し、また、前記実行部の処理時間を短縮することが可能となる。
【発明を実施するための最良の形態】
【０００７】
本発明に係るデータ処理装置の実施例について図面を参照して説明する。
【０００８】
《構成》
図１は、実施例のデータ処理装置の構成を示す。実施例のデータ処理装置ＤＰ１は、例えば、プロジェクタであり、従来と同様に、図５（Ａ）に図示の画像ＩＭ１〜ＩＭ５について第１の処理（例えば、フィルタリング）を行い、更に、図６に図示された第２の処理である投射に関する補正を行うべく、図１に示されるように、処理ユニット１と、投射ユニット２と、検出ユニット３とを含む。
【０００９】
データ処理装置ＤＰ１の説明に先立ち、画像ＩＭ１〜ＩＭ５について説明する。画像ＩＭ１〜ＩＭ５は、図５（Ａ）に示されるように、時刻ｔ１〜ｔ５に投射すべき画像であり、各画像は、複数の画素ＰＸからなり、各画素ＰＸは、Ｘ座標及びＹ座標により特定され、例えば、画素ＰＸ（１、１）のように表される。以下、説明及び理解を容易にすべく、画素ＰＸ（１、１）についてのみ説明する。
【００１０】
時刻ｔのときの各画素ＰＸ（１、１）は、図５（Ｂ）に示されるように、色データ、即ち、赤データＲ（ｔ）、緑データＧ（ｔ）、青データＢ（ｔ）からなる。更に、時刻ｔのときの画素ＰＸ（１、１）の各色データＲ（ｔ）、緑データＧ（ｔ）、Ｂ（ｔ）は、図５（Ｂ）に示されるように、基本的には、赤サブデータＲＳ（ｔ）、緑サブデータＧＳ（ｔ）、青サブデータＢＳ（ｔ）を用いた重み付け加算により特定され、同様にして、緑データＧ（ｔ）及び青データＢ（ｔ）もまた、赤サブデータＲＳ（ｔ）、緑サブデータＧＳ（ｔ）、青サブデータＢＳ（ｔ）を用いた重み付け加算により特定される。
【００１１】
以下では、説明及び理解を更に容易にすべく、主に、画素ＰＸ（１、１）の赤データＲ（ｔ）について説明する。換言すれば、画素ＰＸ（１、１）以外の画素ＰＸ（０、０）、ＰＸ（１、０）、．．．については、画素ＰＸ（１、１）と同様であり、また、赤データＲ（ｔ）以外の緑データＧ（ｔ）及び青データＢ（ｔ）は、赤データＲ（ｔ）と同様である。
【００１２】
図１に戻り、上記した処理ユニット１は、ＭＰＵ１ａと、ＦｅＲＡＭ１ｂと、ＲＡＭ１ｃとを有する。
【００１３】
ＭＰＵ１ａは、プログラム（図示せず。）に従って、画像ＩＭ１〜ＩＭ５に、第１の処理として、フィルタリングを行い、また、第２の処理として、投射に関する補正（以下、「投射補正」という。）を行う。
【００１４】
ＭＰＵ１ａは、より詳しくは、（１）式に従って、［１ａ］時刻ｔにおける赤サブデータＲＳ（ｔ）、緑サブデータＧＳ（ｔ）、青サブデータＢＳ（ｔ）と、［１ｂ］当該時刻（ｔ）におけるこれら３つのサブデータのフィルタリング補正量である赤サブデータ補正量ＲＳＣ（ｔ）、緑サブデータ補正量ＧＳＣ（ｔ）、青サブデータ補正量ＢＳＣ（ｔ）とから、［１ｃ］前記赤データＲ（ｔ）に前記フィルタリングを行った結果である赤データＲＦ（ｔ）を算出する。
【００１５】
【数１】
2008241811.tif 000003
【００１６】
ＭＰＵ１ａは、上記したフィルタリングを施した結果である赤データＲＦ（ｔ）に加えて、（１）式に準じて、フィルタリングを施した結果である緑データＧＦ（ｔ）、青データＢＦ（ｔ）をも算出する（図示せず。）。但し、緑データＧＦ（ｔ）、青データＢＦ（ｔ）を得るための赤サブデータＲＳ（ｔ）、緑サブデータＧＳ（ｔ）、青サブデータＢＳ（ｔ）は、赤データＲ（ｔ）を得るためのそれらと同じであるが、緑データＧＦ（ｔ）、青データＢＦ（ｔ）を得るための赤サブデータ補正量ＲＳＣ（ｔ）、緑サブデータ補正量ＧＳＣ（ｔ）、青サブデータ補正量ＢＳＣ（ｔ）の値は、赤データＲＦ（ｔ）を得るときのそれらの値とは、異なる。
【００１７】
ＦｅＲＡＭ１ｂは、不揮発性を有し、上記した投射補正に関するテーブルＴを記憶している。
【００１８】
テーブルＴは、図２に示されるように、基本的に、［２ａ］時刻（ｔ）における、投射を行う前の赤データＲＦｃｒ（ｔ）、正確には、（２）式に示されるように、時刻（ｔ）におけるフィルタリング後の赤データＲＦ（ｔ）とその前の時刻（ｔ−１）における、投射補正の量である赤補正量ＲＦＣ（ｔ−１）との積である赤データＲＦｃｒ（ｔ）と、［２ｂ］当該時刻（ｔ）における投射を行った後の赤データＲＦｒｆ（ｔ）と、［２ｃ］当該時刻（ｔ）における、前記赤データＲＦｃｒ（ｔ）に行うべき投射補正の量である赤補正量ＲＦＣ（ｔ）との対応関係を規定している。
【００１９】
【数２】
2008241811.tif 000004
【００２０】
図１に戻り、ＲＡＭ１ｃは、例えば、ＤＲＡＭ又はＳＲＡＭであり、ＭＰＵ１ａが、前記プログラムを実行する上で必要なデータ（例えば、画像ＩＭ１〜ＩＭ５の赤データＲ（ｔ）、緑データＧ（ｔ）、青データＢ（ｔ）等）を一時的に記憶し、また、当該プログラムの実行の結果であるデータ（例えば、前記算出により得られた赤データＲＦ（ｔ）、テーブルＴを参照して得られた赤補正量ＲＦＣ（ｔ））を一時的に記憶するために用いられる。
【００２１】
上記した投射ユニット２は、投射部２ａを有する。投射部２ａは、図６に示されるスクリーンＳに、時刻ｔ１〜ｔ５での画素ＰＸ（１、１）における赤データＲＦｃｒ（ｔ）、即ち、（１）式及び（２）式により得られた赤データＲＦｃｒ（ｔ）を投射する。
【００２２】
検出ユニット３は、検出部３ａを有する。検出部３ａは、図６に示されるように、従来と同様に、画素ＰＸ（１、１）の色データＲＦｃｒ（ｔ）のスクリーンＳへの投射の結果として反射される、赤データＲＦｒｆ（ｔ）を検出する。
【００２３】
《動作》
図３は、実施例のデータ処理装置の動作を示すフローチャートである。以下、実施例のデータ処理装置ＤＰ１について、図３のフローチャートに沿って説明する。以下では、説明及び理解を容易にすべく、現時刻が、図５に図示の時刻ｔ１〜ｔ５のうち、時刻ｔ５であることを想定する。
【００２４】
ステップＳ１：ＭＰＵ１ａは、ＲＡＭ１ｃに記憶されている、時刻ｔ５における、即ち、画像ＩＭ５中の画素ＰＸ（１、１）の赤データＲ（ｔ５）について、当該赤データＲ（ｔ５）を構成する赤サブデータＲＳ（ｔ５）、緑サブデータＧＳ（ｔ５）、青サブデータＢＳ（ｔ５）を読み出し、また、ＲＡＭ１ｃに記憶されている又は外部から与えられる、これら３つのサブデータＲＳ（ｔ５）、ＧＳ（ｔ５）、ＢＳ（ｔ５）の補正量ＲＳＣ（ｔ５）、ＧＳＣ（ｔ５）、ＢＳＣ（ｔ５）を読み出し又は受け取る。
【００２５】
ＭＰＵ１ａは、上記取得された３つの色サブデータＲＳ（ｔ５）〜ＢＳ（ｔ５）及び３つの色サブデータ補正量ＲＳＣ（ｔ５）〜ＢＳＣ（ｔ５）を基に、かつ、（１）式に従って、時刻ｔ５における、フィルタリングが施された結果である赤データＲＦ（ｔ５）を算出する。
【００２６】
この結果、ＭＰＵ１ａは、例えば、赤サブデータＲＳ（ｔ５）＝ＲＳ１、赤サブデータ補正量ＲＳＣ（ｔ５）＝ＲＣ０、緑サブデータＧＳ（ｔ５）＝ＧＳ０、緑サブデータ補正量ＧＳＣ（ｔ５）＝ＧＣ０、青サブデータＢＳ（ｔ５）＝ＢＳ０、青サブデータ補正量ＢＳＣ（ｔ５）＝ＢＣ０であるとき、赤データＲＦ（ｔ５）として、ＲＦ１００を取得する（図示せず。）。
【００２７】
ステップＳ２：ＭＰＵ１ａは、図２に図示された、投射補正を行う前の赤データＲＦｃｒ（ｔ５）、即ち、投射部２ａにより投射させるべき赤データＲＦｃｒ（ｔ５）を生成すべく、（２）式に従って、時刻ｔ５における、前記フィルタリングを行った後の赤データＲＦ（ｔ５）と、時刻ｔ５に先立つ時刻ｔ４における赤補正量ＲＦＣ（ｔ４）とを乗算する。ＭＰＵ１ａは、これにより、例えば、図２に図示のテーブルＴ中の２行めに示されるように、第２の処理前の赤データＲＦｃｒ（ｔ５）として、ＲＦｃｒ１を取得する。同様にして、投射補正を行う前の緑データＧＦｃｒ（ｔ５）及び投射補正を行う前の青データＢＦｃｒ（ｔ５）を取得する。
【００２８】
さらに、投射部２ａは、図６に図示のスクリーンＳに前記赤データＲＦｃｒ（ｔ５）を投射し、検出部３ａは、スクリーンＳにより反射された赤データＲＦｒｆ（ｔ５）を検出する。同様にして、投射部２ａは、緑データＧＦｃｒ（ｔ５）及び青データＢＦｃｒ（ｔ５）をスクリーンＳに投射し、検出部３ａは、スクリーンＳにより反射された緑データＧＦｒｆ（ｔ５）及び青データＢＦｒｆ（ｔ５）を検出する。
【００２９】
ステップＳ３：ＭＰＵ１ａは、前記投射部２ａにより投射された赤データＲＦｃｒ（ｔ５）、及び、前記検出部３ａにより検出された赤データＲＦｒｆ（ｔ５）に基づき、ＦｅＲＡＭ１ｂに記憶されている、図２に図示の、（３）式の内容を規定しているテーブルＴを参照する。これにより、ＭＰＵ１ａは、時刻ｔ５のときの赤補正量ＲＦＣ（ｔ５）を取得する。ＭＰＵ１ａは、例えば、図３の３行めに示されるように、投射した赤データＲＦｃｒ（ｔ５）＝ＲＦｃｒ２、検出した赤データＲＦｒｆ（ｔ５）＝ＲＦｒｆ０であるとき、赤補正量ＲＦＣ（ｔ５）として、ＲＦＣ２０を取得する。
【００３０】
ＭＰＵ１ａは、同様に、投射した緑データＧＦｃｒ（ｔ５）及び検出した緑データＧＦｒｆ（ｔ５）に基づき前記テーブルＴを参照することにより、緑補正量ＧＦＣ（ｔ５）を取得し、また、投射した青データＢＦｃｒ（ｔ５）及び検出した青データＢＦｒｆ（ｔ５）に基づき当該Ｔを参照することにより、青補正量ＢＦＣ（ｔ５）を取得する。
【００３１】
【数３】
2008241811.tif 000005
【００３２】
ステップＳ４：ＭＰＵ１ａは、投射した赤データＲＦｃｒ（ｔ５）、緑データＧＦｃｒ（ｔ５）、青データＢＦｃｒ（ｔ５）、及び、赤補正量ＲＦＣ（ｔ５）、緑補正量ＧＦＣ（ｔ５）、青補正量ＢＦＣ（ｔ５）を用いて、（４）式により、投射補正の量である赤投射補正量△Ｒ（ｔ５）を算出する。ＭＰＵ１ａは、同様にして、緑投射補正量△Ｇ（ｔ５）及び青投射補正量△Ｂ（ｔ５）を算出する。
【００３３】
【数４】
2008241811.tif 000006
【００３４】
ステップＳ５：ＭＰＵ１ａは、前記投射した赤データＲＦｃｒ（ｔ５）、及び、前記算出された赤投射補正量△Ｒ（ｔ５）を用いて、（５）式より、最終的な赤データＲｅｎ（ｔ５）を算出する。ＭＰＵ１ａは、同様にして、最終的な緑データＧｅｎ（ｔ５）及び青データＢｅｎ（ｔ５）を算出する。
【００３５】
【数５】
2008241811.tif 000007
【００３６】
《効果》
上記したように、実施例のデータ処理装置ＤＰ１では、ＦｅＲＡＭ１ｂが、上記したテーブルＴを記憶しており、ＭＰＵ１ａが、フィルタリングについては、自ら計算することにより赤データＲＦ（ｔ）を取得する。また、投射補正については、前記テーブルＴを参照することによって、最終的な赤データＲｅｎ（ｔ）を取得する。これにより、ＭＰＵ１ａは、投射補正に関する演算処理を行う必要が無いことから、従来に比して、ＭＰＵ１ａが担うべき処理の負荷を軽減し、また、その処理時間を短縮することが可能となる。
【００３７】
上記したプロジェクタでの「投射」に代えて、例えば、プリンタでの「印刷」及びディスプレイでの「表示」のような他の形式での出力によっても、上記したと同様な効果を得ることができる。
【図面の簡単な説明】
【００３８】
【図１】実施例のデータ処理装置の構成を示す図。
【図２】実施例の第２のテーブルの内容を示す図。
【図３】実施例のデータ処理装置の動作を示すフローチャート。
【図４】従来のデータ処理装置の構成を示す図。
【図５】従来の画像を示す図。
【図６】従来の投射を示す図。
【符号の説明】
【００３９】
ＤＰ１…データ処理装置、１…処理ユニット、１ａ…ＭＰＵ、１ｂ…ＦｅＲＡＭ、Ｔ…テーブル、１ｃ…ＲＡＭ、２…投射ユニット、２ａ…投射部、３…検出ユニット、３ａ…検出部。
【図１】
2008241811.tif 000008
【図２】
2008241811.tif 000009
【図３】
2008241811.tif 000010
【図４】
2008241811.tif 000011
【図５】
2008241811.tif 000012
【図６】
2008241811.tif 000013